(57)【要約】【課題】  配線回路基板用絶縁フィルム中の異物を簡単に検出できる検査方法を提供することを目的とする。特に、その異物が樹脂から成る場合、さらにはフッ素系樹脂から成る場合でも簡単に検出できる検査方法を提供することを目的とする。【解決手段】配線回路基板用長尺状絶縁フィルム１をロール・トゥ・ロール方式で２枚の偏光板２ａ，２ｂの間を通過するように搬送する。そして、一方の偏光板２ａ側から、配線回路基板用長尺状絶縁フィルム１を通して、他方の偏光板２ｂ側に透過させた透過光中の光学的歪みの有無により、配線回路基板用長尺状絶縁フィルム１中の異物の有無を判断する。【選択図】    図２
2006275843.tif 000002
【特許請求の範囲】
【請求項１】
２枚の偏光板の間に配線回路基板用絶縁フィルムを設置して、
一方の偏光板側から、前記配線回路基板用絶縁フィルムを通して、他方の偏光板側に透過させた透過光中の光学的歪みの有無により、前記配線回路基板用絶縁フィルム中の異物の有無を判断することを特徴とする配線回路基板用絶縁フィルムの異物検査方法。
【請求項２】
前記異物が樹脂から成ることを特徴とする請求項１に記載の配線回路基板用絶縁フィルムの異物検査方法。
【請求項３】
前記樹脂がフッ素系樹脂から成ることを特徴とする請求項２に記載の配線回路基板用絶縁フィルムの異物検査方法。
【発明の詳細な説明】
【技術分野】
【０００１】
本発明は、配線回路基板用絶縁フィルムの異物検査方法に関する。
【背景技術】
【０００２】
種々の電子機器に使用されている配線回路基板は、絶縁フィルム上に所定の導体パターンが形成されて成るものである。この絶縁フィルム中に異物が存在すると、配線回路基板の電気絶縁性不良あるいは屈曲性不良が生じる場合がある。従って、配線回路基板を製造するにあたり、使用する絶縁フィルム中の異物の有無を予め検査することは重要である。
【０００３】
フィルム中の異物検査方法としては、例えば、特許文献１には、リニアアレイカメラと光源の間に２枚の偏光板を偏光のずれを±２０度以内となるように設置し、２枚の偏光板の間にフィルムを搬送させることにより異物部位を検出する方法が開示されている。
【０００４】
しかしながら配線回路基板用絶縁フィルム中の異物を検出するために、偏光板を用いた例は知られていない。
【特許文献１】特開平１１−３０５９１号公報
【発明の開示】
【発明が解決しようとする課題】
【０００５】
本発明は、配線回路基板用絶縁フィルム中の異物を簡単に検出できる検査方法を提供することを目的とする。特に、その異物が樹脂から成る場合、さらには、フッ素系樹脂から成る場合でも簡単に検出できる検査方法を提供することを目的とする。
【課題を解決するための手段】
【０００６】
上記の問題を解決するため、本発明の配線回路基板用絶縁フィルムの異物検査方法は、２枚の偏光板の間に配線回路基板用絶縁フィルムを設置して、一方の偏光板側から、前記配線回路基板用絶縁フィルムを通して、他方の偏光板側に透過させた透過光中の光学的歪みの有無より、前記配線回路基板用絶縁フィルム中の異物の有無を判断することを特徴としている。
【発明の効果】
【０００７】
本発明の配線回路基板用絶縁フィルムの異物検査方法によれば、配線回路基板用絶縁フィルム中に存在する、目視では検出できない異物を検出することができる。
【発明を実施するための最良の形態】
【０００８】
本発明が検査の対象とする配線回路基板用絶縁フィルム（以下に、単に絶縁フィルムという）としては、例えば、ポリイミドフィルム、ポリエステルフィルム等が挙げられる。
【０００９】
絶縁フィルムの厚みは３μｍ〜１５０μｍが好ましい。
【００１０】
絶縁フィルムは、例えば、枚葉式または、長尺状絶縁フィルムを巻回したロールとして供給される。ロールの場合は、そのロールから長尺状絶縁フィルムを巻き出して、検査に供する。
【００１１】
本発明の検査方法においては、絶縁フィルムは２枚の偏光板の間に設置される。絶縁フィルムと偏光板の間隔は特に設ける必要はなく、２枚の偏光板で絶縁フィルムを挟むようにすればよい。
【００１２】
但し、後述するように、長尺状絶縁フィルムをロール・トゥ・ロール方式で搬送して検査する場合は、長尺状絶縁フィルムの搬送がスムーズに行われるために長尺状絶縁フィルムと偏光板が接触しない程度の間隔を設けることが好ましい。
【００１３】
本発明の検査方法においては、２枚の偏光板の間に、絶縁フィルムを設置して、一方の偏光板側から、絶縁フィルムを通して、他方の偏光板側に透過させた透過光中の光学的歪みの有無により絶縁フィルム中の異物の有無を判断する。
【００１４】
図１に模式的に示すように、光学的歪み７とは、例えば、偏光ムラのような光の模様を意味し、肉眼で確認することができる。
【００１５】
また、本発明の検査方法によって検出される異物とは、例えば、ガラス、シリカ等の無機物や、樹脂、タンパク質等の有機物、または、透明異物、不透明異物、あるいは、気泡、ピンホール等を含む。
【００１６】
異物の大きさは、本発明の目的からして、肉眼では見えない程度の大きさであるが、通常、最大外径２００μｍ以下であり、通常、１μｍ以上である。
【００１７】
上記樹脂としては、例えば、ポリテトラフルオロエチレン、エチレン／テトラフルオロエチレン共重合体、パーフルオロアルコキシアルカン、ポリビニリデンフルオライド等のフッ素系樹脂、ポリエチレンテレフタレート、ポリブチレンテレフタレート等のポリエステル系樹脂、ポリエチレン、ポリプロピレン等のポリオレフィン系樹脂、ポリメチルメタクリレート等のポリアクリレート系樹脂、ポリカーボネート系樹脂、ポリスチレン系樹脂、ポリウレタン系樹脂、ポリビニルアルコール、ポリ塩化ビニル等のポリビニル系樹脂、ポリアミド系樹脂、ポリイミド系樹脂等が挙げられる。特に、フッ素系樹脂は肉眼での検出が困難であるが、本発明の検出方法によれば、容易に検出することができる。
【００１８】
本発明の検査方法において用いる光は、例えば自然光でよく、必要により、光源を一方の偏光板側に設置してもよい。
【００１９】
偏光板としては、例えば、ヨウ素系偏光板、染料系偏光板を用いることができる。
【００２０】
また、光学的歪みを、その周囲とのコントラストが良好な状態で見やすくするために、２枚の偏光板の偏光軸が交差する角度が６０度〜１２０度になるように設置することが好ましい。
【００２１】
以下に、本発明の絶縁フィルムの異物検査方法の一実施形態である、長尺状絶縁フィルムをロール・トゥ・ロール方式で搬送して検査する場合について、図２を参照して説明する。
【００２２】
まず、長尺状絶縁フィルム１を巻回したロールを用意する。このロールを、図２に示すように巻き出しロール４とし、巻き出しロール４から長尺状絶縁フィルム１を巻き出して、２枚の偏光板２ａ、２ｂの間を通過するように搬送した後、巻き取って、巻き取りロール５とする。
【００２３】
なお、２枚の偏光板２ａ、２ｂは、平面性を保つためにそれぞれ透明支持板３ａ、３ｂに貼付されている。
【００２４】
透明支持板３ａ、３ｂとしてはガラス板、透明樹脂板等があげられ、その厚みは５００μｍ〜１０ｍｍが好ましい。偏光板２ａ、２ｂを透明支持板３ａ、３ｂに貼付して使用する場合は、偏光板２ａ、２ｂを外部環境から保護して、傷がつかないようにするため、図２に示すように偏光板２ａ、２ｂが長尺状絶縁フィルム１側になるように、透明支持板３ａ、３ｂに貼付した偏光板２ａ、２ｂを設置することが好ましい。
【００２５】
そして、図２においては、２枚の偏光板２ａ、２ｂの内、一方の偏光板２a側に、光源８を設置しており、他方の偏光板２ｂ側から、透過光中の光学的歪み７の有無を目視（肉眼）により検査する形態となっている。
【００２６】
なお、光源８は室内の自然光で光量が十分であれば特に設置する必要はない。
【００２７】
また、目視ではなく、ＣＣＤ等の光学センサーを用いて検査してもよい。
【実施例】
【００２８】
実施例１
まず、厚さ１２．５μｍ、幅５００ｍｍ、長さ３０００ｍのポリイミドから成る長尺状絶縁フィルムを巻回したロールを用意した。次に、偏光板（日東電工（株）製、品番：ＳＥＧ１４２５ＤＵ）を厚み５ｍｍのガラス板に貼付したものを２枚用意し、図２に示すように偏光板が長尺状絶縁フィルム側になるように向きをあわせて設置した。
【００２９】
偏光板と絶縁フィルムとの間隔は１０ｍｍとし、２枚の偏光板の偏光軸が９０度で交差するように設置した。長尺状絶縁フィルムの搬送速度は１０ｍ／分とした。そして、図２に示すように、一方の偏光板の外側に蛍光灯を設置し、一方の偏光板側から、長尺状絶縁フィルムを通して、他方の偏光板側に透過させた透過光中の光学的歪みの有無を目視で検査した。その結果、長尺状絶縁フィルムの全長中、５個の光学的歪みを検出した。
【００３０】
次いで、光学的歪みが存在する部分をフーリエ変換赤外分光測定法（ＦＴ−ＩＲ）を用いて異物の分析を行った結果、絶縁フィルム中にテトラフルオロエチレンから成る異物が存在していることが判明した。また、その異物の最大外径は３０μｍであった（走査型電子顕微鏡観察）。
【００３１】
なお、偏光板を用いずに上記光学的歪みが存在する部分を目視しても異物は検出できなかった。
【図面の簡単な説明】
【００３２】
【図１】本発明の検査方法によって検出される光学的歪みの模式図である。
【図２】本発明の検査方法をロール・トゥ・ロール方式で行う場合の検査装置を模式的に示す全体概略図である。
【符号の説明】
【００３３】
１      長尺状絶縁フィルム
２ａ、２ｂ      偏光板
３ａ、３ｂ      透明支持板
４      巻き出しロール
５      巻き取りロール
６      異物
７      光学的歪み
８      光源                                                          
【図１】
2006275843.tif 000003
【図２】
2006275843.tif 000004